(57)【要約】【課題】通風を確保し、また輻射熱による不快感を低減することが可能な建具を提供する。【解決手段】複数の開口４，５を有する第１及び第２の多孔板２，３を板厚方向Ｚに互いに対向して配置し、太陽光を透過させる日射透過性能及び太陽光を遮蔽する日射遮蔽性能を備えた建具において、第１及び第２の多孔板は、開口の間の部分であり太陽光の透過を防止する遮蔽部６，１１を備え、正面視において、第２の多孔板の開口５の全部又は一部分は、第１の多孔板の遮蔽部６に覆われている構成とする。また、第１の角度で傾斜し第１の多孔板の開口を通過した太陽光Ｓ１２を遮蔽可能な位置に、第２の多孔板の遮蔽部１１を配置し、第１の角度よりも小さい第２の角度で傾斜し第１の多孔板の開口を通過した太陽光Ｓ２２を通過可能な位置に、第２の多孔板の開口５を配置する。【選択図】図５
2015137519.tif 000002
【特許請求の範囲】
【請求項１】
複数の開口を有する第１及び第２の多孔板が板厚方向に互いに対向して配置され、建物の開口部を外側から覆うように設置される建具であって、
前記第１及び第２の多孔板は、上下方向に並ぶ前記開口の間の部分である遮蔽部を備え、
前記板厚方向から見た正面視において、前記第１の多孔板の開口部の１／４以上の領域に、前記第２の多孔板の前記遮蔽部が配置されていることを特徴とする建具。
【請求項２】
前記板厚方向における前記第１及び第２の多孔板の間隔が５ｍｍ〜３０ｍｍであることを特徴とする請求項１に記載の建具。
【請求項３】
前記第１及び第２の多孔板の前記開口の大きさ、形状及び配置パターンは同一であり、
前記正面視において、前記第２の多孔板の複数の前記開口は、前記第１の多孔板の複数の前記開口に対してそれぞれ上下方向に等しくずれて配置されていることを特徴とする請求項１又は２に記載の建具。
【請求項４】
前記正面視において、前記第１の多孔板の前記開口の上下方向の中央に前記第２の多孔板の前記遮蔽部が配置され、前記第１の多孔板の前記開口の上下に前記第２の多孔板の前記開口が配置されていることを特徴とする請求項１〜３の何れか一項に記載の建具。
【請求項５】
前記第１又は第２の多孔板には、平面視において前記開口の一側又は両側に配置され、上下方向に延在する縦リブが設けられていることを特徴とする請求項１〜３の何れか一項に記載の建具。
【請求項６】
前記縦リブは前記第１及び第２の多孔板の間に配置されていることを特徴とする請求項５に記載の建具。
【請求項７】
前記第１及び第２の多孔板は、パンチングメタルによって形成されていることを特徴とする請求項１〜６の何れか一項に記載の建具。
【請求項８】
前記開口の上側の周縁部には、水平方向に張り出す張出片が形成されていることを特徴とする請求項１〜７の何れか一項に記載の建具。
【発明の詳細な説明】
【技術分野】
【０００１】
本発明は、建物の開口部を外側から覆うように設置される建具に関する。
【背景技術】
【０００２】
例えば建物の窓に適用される建具として、外部との空気の流通を遮断して密封された空気層を挟んで配置された２枚のガラスパネルを備えた建具がある（例えば、特許文献１参照）。特許文献１に記載の建具では、ガラスパネル面に対して表面処理を施すことで不透明又は半透明の遮光部が形成されている。遮光部は、１枚のガラスパネルにおいて一定間隔で配置され、板厚方向から見た場合に、対向する２枚のガラスパネル間で完全に一致しないように配置されている。
【先行技術文献】
【特許文献】
【０００３】
【特許文献１】特開２００２−１６７２４７号公報
【発明の概要】
【発明が解決しようとする課題】
【０００４】
しかしながら上記の特許文献１に記載の従来技術では、対向する２枚のガラスパネル間に、密封された空気層が設けられ、外部との空気の流通が遮断されているので、通風機能がなかった。また、ガラスパネルの遮光部に蓄積される熱による輻射熱が室内の居住者へ与える不快感については考慮されていなかった。
【０００５】
本発明は、通風を確保し、また輻射熱による不快感を低減することが可能な建具を提供することを目的とする。
【課題を解決するための手段】
【０００６】
本発明の建具は、複数の開口を有する第１及び第２の多孔板が板厚方向に互いに対向して配置され、建物の開口部を外側から覆うように設置される建具であって、第１及び第２の多孔板は、上下方向に並ぶ開口の間の部分である遮蔽部を備え、板厚方向から見た正面視において、第１の多孔板の開口部の１／４以上の領域に、第２の多孔板の遮蔽部が配置されていることを特徴としている。
【０００７】
この建具によれば、複数の開口を有する第１及び第２の多孔板が板厚方向に対向して配置されているので、第１の多孔板の開口を通じて流入した空気は第１及び第２の多孔板間を通り、第２の多孔板の開口を通じて流出可能であるので、空気を通過させることができ通風を確保することができる。また、第１の多孔板の開口部の１／４以上の領域を占めるように第２の多孔板の遮蔽部が配置されているので、第１の多孔板の開口を通過した空気がそのまま第２の多孔板の開口を通過することが防止され、第２の多孔板の遮蔽部に当たった空気は方向が変えられて第１及び第２の多孔板の間を流れて、第１及び第２の多孔板の間に熱が蓄積されることが抑制される。そのため、輻射熱の発生が防止されるので、室内の居住者に不快感を与えることが防止される。
【０００８】
また、板厚方向における第１及び第２の多孔板の間隔が５ｍｍ〜３０ｍｍであることが好ましい。第１及び第２の多孔板の間隔が５ｍｍ以上であると、開口の大きさの制限が小さい上、第１及び第２の多孔板間の空気の流れの防止が抑制される。第１及び第２の多孔板の間隔が３０ｍｍ以下であると、第１及び第２の多孔板間の空気の流れが層流とならないので、第１及び第２の多孔板から空気への熱伝達の低下が抑制される。これらにより、日射を受けても対流により第１及び第２の多孔板の好適に熱を除去することができる。
【０００９】
また、第１及び第２の多孔板の開口の大きさ、形状及び配置パターンは同一であり、正面視において、第２の多孔板の複数の開口は、第１の多孔板の複数の開口に対してそれぞれ上下方向に等しくずれて配置されていることが好適である。これにより、建具の全面において均一にムラなく、空気を流通させることができる。また、遮蔽部によって太陽光を遮光することができるので、建具の全面において均一にムラなく、太陽光を遮光することができる。太陽光を通過させる場合にも、均一にムラなく太陽光を通過させることができる。
【００１０】
また、正面視において、第１の多孔板の開口の上下方向の中央に第２の多孔板の遮蔽部が配置され、第１の多孔板の開口の上下に第２の多孔板の開口が配置されていてもよい。これにより、意匠性の高い建具を実現することができる。また、第１の多孔板の開口の背面側に第２の多孔板の遮蔽部が配置され、第２の多孔板の開口の正面側に第１の多孔板の遮蔽部が配置されるので、第１及び第２の多孔板の開口同士が重なる部分の面積を減らして、効率良く視線を遮ることができる。第１及び第２の多孔板の開口同士が重なる部分の面積が少ないと、第１の多孔板の開口を通過した空気が、そのまま第２の多孔板の開口を通過することが防止され、第１及び第２の多孔板による輻射熱の発生が防止される。
【００１１】
また、第１又は第２の多孔板には、平面視において開口の一側又は両側に配置され、上下方向に延在する縦リブが設けられていることが好適である。これにより、平面視において第１又は第２の多孔板の板厚方向に対して傾斜する太陽光が、縦リブによって遮られることになる。例えば、板厚方向が南北方向に沿うように第１の多孔板を南に向けて配置した場合には、縦リブによって西日を遮ることができる。また、平面視において第１の多孔板の板厚方向に対して斜めに入射する視線を、縦リブによって遮ることができる。
【００１２】
また、縦リブは第１及び第２の多孔板の間に配置されていることが好ましい。これにより、板厚方向において外方に張り出さないようにして、縦リブを配置することができ、建具としての厚みを抑えることができる。
【００１３】
また、第１及び第２の多孔板は、パンチングメタルによって形成されていてもよい。これにより、簡素な構成とすることができ、２枚のパンチングメタルを板厚方向に対向して配置させるだけでよく、容易に建具を製造することができる。
【００１４】
また、開口の上側の周縁部には、水平方向に張り出す張出片が形成されていることが好適である。これにより、鉛直方向に近い傾斜角度で入射する太陽光を張出片によって遮ることができ夏季の日射性能を向上させることができる。また、張出片によって太陽光を遮ることができるので、第１及び第２の多孔板の間隔を狭くして、建具を薄くすることができる。
【発明の効果】
【００１５】
本発明によれば、通風を確保し、また輻射熱による不快感を低減することができる建具を提供することができる。
【図面の簡単な説明】
【００１６】
【図１】本発明の一実施形態の建具を示す斜視図である。
【図２】図１に示す建具の正面図である。
【図３】上方から見た場合の建具を示す図である。
【図４】図３中のＩＶ−ＩＶ線に沿う断面図である。
【図５】建具のＹＺ面に沿う断面図であり、太陽光の透過及び遮蔽を示す図である。
【図６】建具のＸＺ面に沿う断面図であり、太陽光の遮蔽を示す図である。
【図７】南向きに配置された建具による影を示す図であり、夏季において南中高度の太陽光を受けたときの影のでき方を示すものである。
【図８】南向きに配置された建具による影を示す図であり、夏季におけて西日を受けたときの影のでき方を示すものである。
【図９】西向きに配置された建具による影を示す図であり、夏季において西日を受けたときの影のでき方を示すものである。
【図１０】南向きに配置された建具による影を示す図であり、春季において南中高度の太陽光を受けたときの影のでき方を示すものである。
【図１１】日射透過率の１日における変化を示すグラフである。
【図１２】建具のＹＺ面に沿う断面図であり、太陽光の傾斜角と遮蔽部の配置間隔について示すものである。
【図１３】第２実施形態に係る建具のＸＺ面に沿う断面図である。
【図１４】図１３に示す建具の正面図である。
【図１５】図１３に示す建具の背面図である。
【発明を実施するための形態】
【００１７】
以下、図面を参照しつつ、本発明に係る建具の実施形態について詳細に説明する。各図において、互いに直交するＸ方向、Ｙ方向及びＺ方向が図示されている。建具１の説明において、Ｘ方向に沿う方向を幅方向Ｘ、Ｙ方向に沿う方向を上下方向Ｙ、Ｚ方向に沿う方向を板厚方向Ｚとする。板厚方向Ｚは、後述する第１の多孔板２及び第２の多孔板３の板厚方向である。
【００１８】
図１及び図２に示される建具１は、例えば建物の窓の外面側を覆うように配置されるものである。建具１は、第１の多孔板２及び第２の多孔板３を備え、これらの第１の多孔板２及び第２の多孔板３には、複数の開口４，５が設けられている。第１の多孔板２及び第２の多孔板３は、板厚方向Ｚに対向して配置され、開口４，５は正面視において（板厚方向Ｚから見て）一致しないように、上下方向Ｙにずれた位置に配置されている。
【００１９】
第１の多孔板２の複数の開口４は、上下方向Ｙに一定間隔で複数配置され、幅方向Ｘに一定間隔で複数配置されている。複数の開口４の大きさ、形状及び配置パターンは同一である。開口４は矩形状に形成され、幅方向Ｘに沿って一対の長辺４ａが配置され、上下方向Ｙに沿って一対の短辺４ｂが配置されている。一対の長辺４ａ及び短辺４ｂによって、開口４の周縁が形成されている。また、長辺４ａ及び短辺４ｂの端部であって、開口４の四隅は、正面視において湾曲し丸みを帯びるように形成され、長辺４ａ及び短辺４ｂの端部同士を滑らかに接続している。なお、開口４の四隅は、長辺４ａ及び短辺４ｂの端部が直交するように形成されていてもよい。
【００２０】
第１の多孔板２は、上下方向Ｙにおいて開口４の両側に配置された複数の遮蔽部６を備えている。遮蔽部６は、第１の多孔板２において開口４の上方又は下方に配置された部分であり、太陽光の透過を防止する。遮蔽部６は板厚方向Ｚにおける空気の流れを遮蔽する。
【００２１】
また、第１の多孔板２には、対向する第２の多孔板３に向かって張り出し、上下方向Ｙに延在する縦リブ７が設けられている。縦リブ７は、建具１の幅方向Ｘにおいて開口４及び遮蔽部６の両側に配置され、第１の多孔板２の上端から下端まで延在している。縦リブ７は板状に形成され、縦リブ７の板厚方向は建具１の幅方向Ｘに沿って配置されている。建具１の幅方向Ｘに隣り合う開口４間には、一対の縦リブ７が対向して配置され、一対の縦リブ７の第２の多孔板３側の端部同士は、板状の連結部８によって接続されている。連結部８は、第１の多孔板２の上端から下端まで上下方向Ｙに延在している。連結部８の板厚方向は、第１の多孔板２の板厚方向Ｚに沿うように配置されている。
【００２２】
また、第１の多孔板２の幅方向Ｘの両側には、縦リブ７から外側に張り出す接続板９が設けられている。接続板９は上下方向Ｙにおいて、第１の多孔板２の上端から下端まで連続している。接続板９の板厚方向は、第１の多孔板２の板厚方向Ｚに沿うように配置されている。接続板９は、縦リブ７の第２の多孔板３側の端部から幅方向Ｘに屈曲されて形成されている。
【００２３】
開口４の上側の長辺４ａは、開口４の上方に隣接する遮蔽部６の下端部によって形成され、開口４の下側の長辺４ａは、開口４の下方に隣接する遮蔽部６の上端部によって形成されている。開口４の短辺４ｂは、開口４の幅方向Ｘの両側に配置された縦リブ７によって形成されている。
【００２４】
また、第１の多孔板２は、建具１の幅方向Ｘに延在する複数の帯状部材１０が組み付けられることで形成されている。遮蔽部６、縦リブ７、連結部８及び接続板９は、帯状部材１０が屈曲されることで成形され、建具１の幅方向Ｘ（帯状部材１０の長手方向）に連続している。複数の帯状部材１０の幅方向の端部が上下方向Ｙに接続されて、第１の多孔板２が形成されている。開口４は、遮蔽部６の幅（Ｙ方向の長さ）を狭くすることで形成され、上下方向Ｙに隣り合う帯状部材１０の遮蔽部６間の空間が開口４となる。上下方向Ｙに隣り合う帯状部材１０の縦リブ７、連結部８及び接続板９の端部同士が接続されて、１枚の第１の多孔板２が形成されている。
【００２５】
第２の多孔板３の複数の開口５は、上下方向Ｙに一定間隔で複数配置され、幅方向Ｘに一定間隔で複数配置されている。複数の開口５の大きさ、形状及び配置パターンは同一である。開口５は矩形状に形成され、幅方向Ｘに沿って一対の長辺５ａが配置され、上下方向Ｙに沿って一対の短辺５ｂが配置されている。一対の長辺５ａ及び短辺５ｂによって、開口５の周縁が形成されている。また、長辺５ａ及び短辺５ｂの端部であって、開口５の四隅は、正面視において湾曲し丸みを帯びるように形成され、長辺５ａ及び短辺５ｂの端部同士を滑らかに接続している。なお、開口５の四隅は、長辺５ａ及び短辺５ｂの端部が直交するように形成されていてもよい。
【００２６】
第２の多孔板３は、上下方向Ｙにおいて開口５の両側に配置された複数の遮蔽部１１を備えている。遮蔽部１１は、第２の多孔板３において開口５の上方又は下方に配置された部分であり、太陽光の透過を防止する。遮蔽部１１は板厚方向Ｚにおける空気の流れを遮蔽する。
【００２７】
また、第２の多孔板３には、対向する第１の多孔板２に向かって張り出し、上下方向Ｙに延在する縦リブ１２が設けられている。縦リブ１２は、建具１の幅方向Ｘにおいて開口５及び遮蔽部１１の両側に配置され、第２の多孔板３の上端から下端まで延在している。縦リブ１２は板状に形成され、縦リブ１２の板厚方向は建具１の幅方向Ｘに沿って配置されている。建具１の幅方向Ｘに隣り合う開口５間には、一対の縦リブ１２が対向して配置され、一対の縦リブ１２の第１の多孔板２側の端部同士は、板状の連結部１３によって接続されている。連結部１３は、第２の多孔板３の上端から下端まで上下方向Ｙに延在している。連結部１３の板厚方向は、第２の多孔板３の板厚方向Ｚに沿うように配置されている。
【００２８】
また、第２の多孔板３の幅方向Ｘの両側には、縦リブ１２から外側に張り出す接続板１４が設けられている。接続板１４は上下方向Ｙにおいて、第２の多孔板３の上端から下端まで連続している。接続板１４の板厚方向は、第２の多孔板３の板厚方向Ｚに沿うように配置されている。接続板１４は、縦リブ１２の第１の多孔板２側の端部から幅方向Ｘに屈曲されて形成されている。
【００２９】
開口５の上側の長辺５ａは、開口５の上方に隣接する遮蔽部１１の下端部によって形成され、開口５の下側の長辺５ａは、開口５の下方に隣接する遮蔽部１１の上端部によって形成されている。開口５の短辺５ｂは、開口５の幅方向Ｘの両側に配置された縦リブ１２によって形成されている。
【００３０】
また、第２の多孔板３は、建具１の幅方向Ｘに延在する複数の帯状部材１５が組み付けられることで形成されている。遮蔽部１１、縦リブ１２、連結部１３及び接続板１４は、帯状部材１５が屈曲されることで成形され、建具１の幅方向Ｘ（帯状部材１５の長手方向）に連続している。複数の帯状部材１５の幅方向の端部が上下方向Ｙに接続されて、第２の多孔板３が形成されている。開口５は、遮蔽部１１の幅（Ｙ方向の長さ）を狭くすることで形成され、上下方向Ｙに隣り合う帯状部材１５の遮蔽部１１間の空間が開口５となる。上下方向Ｙに隣り合う帯状部材１５の縦リブ１２、連結部１３及び接続板１４の端部同士が接続されて、１枚の第２の多孔板３が形成されている。
【００３１】
また、第１の多孔板２の開口４と、第２の多孔板３の開口５とは、大きさ、形状及び配置パターンが同一である。具体的には、長辺４ａ，５ａ同士の長さが同一であり、短辺４ｂ，５ｂ同士の長さが同一であり、開口４，５の面積も同一である。また、遮蔽部６，１１の大きさ、形状及び配置パターンが同一である。
【００３２】
建具１では、正面視において、開口４，５の位置が上下方向Ｙにずれて配置されている。正面視において、開口４の上下方向Ｙの中央に第２の多孔板３の遮蔽部１１が配置されている。また、正面視において、第１の多孔板２の遮蔽部６は、開口５の上下方向Ｙの中央に配置されている。また、開口４，５の短辺４ｂ，５ｂは、建具１の幅方向Ｘにおいて、同じ位置に配置されている。
【００３３】
図３に示されるように、建具１では、板厚方向Ｚに対向する接続板９，１４が接続されていると共に、板厚方向Ｚに対向する連結部８，１３が接続されることで、第１の多孔板２と第２の多孔板３とが接合されている。第１の多孔板２及び第２の多孔板３の接合は、例えばリベットを用いて接合することができる。
【００３４】
また、第１の多孔板２及び第２の多孔板３は、例えば厚さ１ｍｍのアルミ板によって形成されている。第１の多孔板２及び第２の多孔板３の開口４，５は、打ち抜き加工によって成形されている。第１の多孔板２及び第２の多孔板３としてパンチングメタルを採用してもよい。
【００３５】
（開口率）
第１の多孔板２の開口率は、第１の多孔板２の全体の面積に対する開口４の面積の割合であり、例えば６０％である。第２の多孔板３の開口率は、第２の多孔板３の全体の面積に対する開口５の面積の割合であり、例えば６０％である。
【００３６】
第１の多孔板２及び第２の多孔板３の開口率は３０％以上７０％以下であることが好ましい。開口率が３０％以上であると、通風や採光の観点から好ましく、通風や採光が極端に低下することが防止される。開口率が７０％以下であると、材料強度の観点から好ましく、強度の高い材料を使用する必要がなく、汎用品の材料を使用することができる。これにより、材料コストの上昇を抑えることができる。
【００３７】
第１の多孔板２及び第２の多孔板３の開口率は４０％以上６０％以下であることが好ましい。開口率が４０％以上６０％である場合には、第１の多孔板２及び第２の多孔板３の材料を安価で入手することができると共に加工が容易である。熱が蓄積されにくい材料であるアルミ材を用いる場合には開口率が４０％以上６０％以下であることが好ましい。
【００３８】
（開口幅）
第１の多孔板２の開口４の幅（幅方向Ｘの長さ）ｗ４（図６参照）は、例えば２５ｍｍであり、１枚の第１の多孔板２には３個の開口４が設けられている。１枚の第１の多孔板２の幅方向Ｘの全長は１４０ｍｍであり、幅方向Ｘの全長に対する開口４の幅ｗ４の合計の割合Ｒｗ４は５５％である。
【００３９】
第２の多孔板３の開口５の幅（幅方向Ｘの長さ）ｗ５（図６参照）は、例えば２５ｍｍであり、１枚の第２の多孔板３には３個の開口５が設けられている。１枚の第２の多孔板３の幅方向Ｘの全長は１４０ｍｍであり、幅方向Ｘの全長に対する開口５の幅ｗ５の合計の割合Ｒｗ５は５５％である。
【００４０】
開口幅の割合Ｒｗ４，Ｒｗ５は、４０％以上８０％であることが好ましい。建具１に縦リブが設けられている場合、開口幅の割合Ｒｗ４，Ｒｗ５が８０％以下であると縦リブの強度の観点で好ましく、開口幅の割合Ｒｗ４，Ｒｗ５が８０％を超えると縦リブの強度が弱くなり、建具１のたわみの原因となる。また、開口幅の割合Ｒｗ４，Ｒｗ５が８０％以下であると、斜め横から入射する日射を遮蔽することができる。例えば建具１を南向きに設置した場合、開口幅の割合Ｒｗ４，Ｒｗ５が８０％を超えると、縦リブによって西日（斜め横から入射する日射）を遮ることが困難となる。
【００４１】
開口幅の割合Ｒｗ４，Ｒｗ５が４０％以上であると、板厚方向Ｚに対して太陽が斜めに傾いた際に、室内に採り入れられる日射が極端に小さくなることが抑制され、日射を建物内に入れたい季節（例えば冬）・時間帯を好適に設定することができる。
【００４２】
また、開口幅ｗ４，ｗ５の大きさが建物外部からの視線防止性能と直結するため、視線防止性能の観点から、第１の多孔板２の開口４の幅に対する屋外道路等における視点からの立体角は０．３度以下であることが好ましい。
【００４３】
（多孔板の配置間隔）
第１の多孔板２及び第２の多孔板３の板厚方向Ｚにおける遮蔽部６，１１の対向する面同士の間隔Ｄ（図５参照）は例えば１２ｍｍである。遮蔽部６，１１の対向する面同士の間隔Ｄは、５ｍｍ以上３０ｍｍ以下であることが好ましい。間隔Ｄが５ｍｍ以上であると、開口４，５の大きさの制限を緩和することができ、第１の多孔板２と第２の多孔板３との間の板厚方向Ｚに沿う空気の流れを良好とすることができ、その結果、日射を遮蔽したい時期（例えば夏季）において第１の多孔板２及び第２の多孔板３に蓄積された熱を対流によって好適に除去することができる。
【００４４】
間隔Ｄが５ｍｍ未満であると、開口４，５の大きさの制限が厳しくなる上、第１の多孔板２と第２の多孔板３との間の空気の流れが著しく低下し、その結果、日射を遮蔽したい時期（例えば夏季）において第１の多孔板２及び第２の多孔板３に蓄積された熱を対流によって除去することが困難となる。
【００４５】
間隔Ｄが３０ｍｍ以下であると、開口４，５間を流れる気流が層流とならないので、第１の多孔板２及び第２の多孔板３に蓄積された熱を対流によって好適に除去することができる。間隔Ｄが３０ｍｍを超えると、開口４，５間を流れる気流が層流となり、第１の多孔板２及び第２の多孔板３に蓄積された熱を対流によって除去する能力が著しく低下する。
【００４６】
間隔Ｄは１０ｍｍ以上２５ｍｍ以下であることがより好ましく、第１の多孔板２と第２の多孔板３との間の板厚方向Ｚにおける空気の流れを良好なものとし、夏季においても好適に対流によって熱を除去することができ、建具１による輻射熱の発生を防止することができる。
【００４７】
（建具の正面及び背面の反射率）
第１の多孔板２の正面（屋外側の面）の反射率はマンセルＮ値で７であり、第２の多孔板３の背面（室内側の面）の反射率はマンセルＮ値で６である。屋外側の面は、高い反射率であると外部からの視線防止につながる。室内側の面は、低い反射率であると室内から外部に視線が抜けやすく、室内に居る人は開放感を感じやすくなる。
【００４８】
第１の多孔板２の正面の反射率はマンセルＮ値で５以上９以下であることが好ましい。例えば光沢を有する面とする、または、塗装を施工することが好適である。第１の多孔板２の正面の反射率はマンセルＮ値で６以上８．５以下であることが第１の多孔板２の材料コストの観点からより好ましい。
【００４９】
第２の多孔板３の背面の反射率はマンセルＮ値で４以上８以下であることが好ましい。例えばマットな（つや消しされた）面とする、または、塗装を施工することが好適である。第２の多孔板３の背面の反射率はマンセルＮ値で４．５以上８以下がより好ましい。マンセルＮ値が小さくなるほど、室内の暗さにつながる。マンセルＮ値が４以上であると、室内の明るさの観点から好ましい。
【００５０】
さらに第１の多孔板２の正面に光源を設置してもよい。このように光源を設置することにより、夜間において建物外部からの視線を防止することができる。また、夜間の視線を防止するために、開口４を通じて見える第２の多孔板３の正面や、第１の多孔板２と第２の多孔板３との間の領域に、光源を配置してもよい。
【００５１】
（第１の多孔板及び第２の多孔板の開口の上下方向におけるずれ）
第１の多孔板２の開口４と第２の多孔板３の開口５の大きさ及び形状は、異なっていてもよい。ただし、正面視において、開口４を通じて第２の多孔板３の遮蔽部１１が見えている必要がある。正面視において、開口４を通じて遮蔽部１１が見えないように、第１の多孔板２及び第２の多孔板３が配置されている場合には、開口４と通過した空気は開口５をそのまま通過してしまい、空気の流れが層流となり、第１の多孔板２及び第２の多孔板３間で上下方向に流れる空気がなくなる。
【００５２】
空気の流れが層流となると、第１の多孔板２の背面及び第２の多孔板３の正面において対流が生じないので、第１の多孔板２及び第２の多孔板３に蓄積された熱を回収することができず、室内側において輻射熱によって熱さを感じることになる。更に、第２の多孔板３の開口５を通過して室内に流入した空気の流れによって、圧力が高い方の空気の流れが、圧力が低い方の空気の流れを挟み込んだ状態になるので、空気の流れに渦が生じて風切音が大きくなる。
【００５３】
次に建具１の作用について説明する。
建具１は、建物の窓の外面に配置されて使用される。例えば、窓ガラスの正面に対面して第２の多孔板３が配置される。図５に示されるように、建具１では、対向して配置された第１の多孔板２及び第２の多孔板３に、複数の開口４，５がそれぞれ形成されているので、建物の外部の空気は、第１の多孔板２の開口４を通過して、第１の多孔板２と第２の多孔板３との間の空間に流入した後、第２の多孔板３の開口５を通じて流出される。これにより、通風機能を実現し、建物の外部の空気を室内に流入させることができる。同様に、室内の空気を建物の外部に流出させることができる。
【００５４】
また、建具１では、板厚方向Ｚにおいて、第１の多孔板２の開口４の背面側に、第２の多孔板３の遮蔽部１１が配置されていると共に、第２の多孔板３の開口５の正面側に、第１の多孔板２の遮蔽部６が配置されているので、遮蔽部６，１１によって、建物の外部の人の視線を遮ることができる。第１の多孔板２の開口４を通過した視線の一部は、第２の多孔板３の遮蔽部１１によって遮られる。上下方向Ｙに隣り合う開口４の長辺４ａと開口５の長辺５ａとの間の隙間を通じて、視線の一部が室内に向けられるが、長辺４ａ，５ａの隙間は狭いので、建具１によって外部の人の視線の大部分を遮ることができ、建物の内部のプライバシーを保護することができる。
【００５５】
また、建具１の幅方向Ｘにおいて、開口４，５の両側には上下方向Ｙに延在する連結部８が設けられているので、外部の人の視線を幅方向Ｘにおいて分断することができ、室内を見えづらくすることができる。
【００５６】
図５は、建具１のＹＺ面に沿う断面図であり、太陽光の透過及び遮蔽を示している。建具１では、水平方向に対して第１の角度θ１で傾斜する太陽光Ｓ１１の一部は、第１の多孔板２の遮蔽部６によって遮られる。第１の角度θ１で傾斜し第１の多孔板２の開口４を通過した太陽光Ｓ１２は、第２の多孔板３の遮蔽部１１によって遮られる。具体的には、第１の多孔板２の１段目の開口４Ａを通過した太陽光Ｓ１２は、第２の多孔板３の３段目の遮蔽部１１Ｃによって遮られることになる。なお、上から順に、１段目、２段目、３段目、・・・とする。
【００５７】
一方、第１の角度θ１よりも緩やかな第２の角度θ２で傾斜する太陽光Ｓ２１の一部は、第１の多孔板２の遮蔽部６によって遮られる。第２の角度θ２で傾斜し第１の多孔板２の開口４を通過した太陽光Ｓ２２は、第２の多孔板３の開口５を通過する。具体的には、第１の多孔板２の１段目の開口４Ａを通過した太陽光Ｓ２２は、第２の多孔板３の１段目の開口５Ａを通過する。建具１を通過した太陽光Ｓ２２は建物の室内に入射する。
【００５８】
また、建具１では、第１の多孔板２及び第２の多孔板３の両方において、開口４，５の大きさ、形状及び配置パターンが同一であるので、第１の多孔板２に対して、第２の多孔板３を上下方向Ｙに位置をずらすだけで、全ての開口５を開口４に対して等しいずれ量で配置することができる。これにより、建具１の全面において均一にムラなく、偏りを無くして太陽光を遮光することができる。また、太陽光を通過させる場合においても、建具１の全面において均一にムラなく、偏りの無くして太陽光を通過させることができる。
【００５９】
また、建具１では、正面視において、第１の多孔板２の開口４の上下方向Ｙの中央に、第２の多孔板３の遮蔽部１１が配置され、第１の多孔板２の開口４の上下に第２の多孔板３の開口５が配置されているので、意匠性の高い建具１を実現することができる。また、第１の多孔板２の開口４の背面側に第２の多孔板３の遮蔽部１１が配置され、第２の多孔板３の開口５の正面側に第１の多孔板２の遮蔽部６が配置されるので、第１の多孔板２及び第２の多孔板３の開口４，５同士が重なる部分の面積を減らして、効率良く視線を遮ることができる。
【００６０】
建具１では、図６に示されるように、建具１には、縦リブ７，１２が設けられているので、平面視において、第１の多孔板２の板厚方向Ｚに対して傾斜角θ３で傾斜する太陽光Ｓ３は、縦リブ７，１２によって遮られることになる。これにより、建具１では夏季の夕方に、特に暑さとして問題となる西日を遮蔽することができ、室内環境を好適に維持することができる。また、縦リブ７，１２によって、第１の多孔板２及び第２の多孔板３の強度を確保することができる。
【００６１】
建具１では、縦リブ７，１２が平面視において、第１の多孔板２の遮蔽部６と、第２の多孔板３の遮蔽部１１との間に配置されているので、板厚方向Ｚにおいて外方に張り出す部分をなくして、建具１としての厚みを薄くすることができ、意匠性を向上させることができる。
【００６２】
また、第１の多孔板２及び第２の多孔板３として一般的に流通しているパンチングメタルを採用することで、材料のコストを押さえることができる。また、パンチングメタルは、製法が確立されており、信頼性も高いので、建具１として強度を確実に確保することができる。
【００６３】
このような建具１によれば、視線防止性能、通風性能を備えつつ、季節変動や一日における変動が考慮され、好適に太陽光を取り入れまたは遮ることができる。
【００６４】
次に図７〜図１０を参照して、建具１による日射遮蔽性能及び日射透過性能について説明する。図７〜図１０では、第１の多孔板２及び第２の多孔板３を備えた建具１による影と、第１の多孔板２のみを備える建具による影とを図示している。
【００６５】
図７では、建具１の正面が南向きに配置された場合であって、夏季の南中高度の太陽光を受けたときの影の生じ具合を示している。図７中左側に示された建具１では、太陽光が通過して日が当たっている部分がなく、太陽光は遮蔽部６，１１によって全て遮られている。一方、図７中右側に示された第１の多孔板２からなる建具では、日が当たっている部分が残っており、太陽光は開口４を通過していることが分かる。建具１では、開口４を通過した太陽光は、第２の多孔板３の遮蔽部１１によって遮られている。これにより、建具１では、夏季の南中高度の太陽光を遮ることができる。
【００６６】
図８では、建具１の正面が南向きに配置された場合であって、夏季において西日を受けたときの影の生じ具合を示している。図８中左側に示されている建具１、及び図８中右側に示されている第１の多孔板２からなる建具の両方において、太陽光が通過して日が当たっている部分がなく、太陽光は縦リブ７によって全て遮られている。これにより、建具１では、夏季の西日を有効に遮ることができる。
【００６７】
図９では、建具１の正面が西向きに配置された場合であって、夏季において西日を受けたときの影の生じ具合を示している。図９中左側に示されている建具１では、開口４を通過した太陽光の一部は、第２の多孔板３の遮蔽部１１によって遮られ、残りは開口５通過している。図９中右側に示されている第１の多孔板２からなる建具では、開口４を通過した太陽光は遮られることなくそのまま通過し、影の部分よりも日の当たっている部分の面積が大きくなっている。西向きに配置された建具１では、夏季の西日を有効に遮ることができる。
【００６８】
図１０では、建具１の正面が南向きに配置された場合であって、春季において南中高度の太陽光を受けたときの影の生じ具合について示している。図１０中左側に示された建具１では、開口４を通過した太陽光の大部分が、第２の多孔板３の開口５を通過している。図１０中右側に示された第１の多孔板２からなる建具では、開口４を通過した太陽光がそのまま通過している。第１の多孔板２による影は、建具１による影と比較して、小さい面積である。図７の夏季の場合と、図１０の春季の場合とを参照すると、建具１では、夏季の強い日射を遮蔽し、春季の弱い日射を透過していることが分かる。
【００６９】
図１１は、建具１による日射透過率の１日おける変化を示している。建具１の正面が南向きとなるように建具１が配置されている。日射透過率は、開口の面積に対する日の当たっている面積の割合を示している。実線で示す１月１日（冬季）の場合は、１２時おいて日射透過率が最も高く２５％程度であり、１５時において日射透過率が２０％となっている。破線で示す３月１日（春季）の場合は、１２時において日射透過率が最も高く３５％程度であり、１５時において日射透過率が５％程度となっている。２点鎖線で示す８月１日（夏季）の場合は、１１時おいて日射透過率が最も高く１５％程度であり、その後１２時おいて日射透過率が３％程度に低下し、再び上昇に転じて、１３時において日射透過率が１０％程度となった後、再び降下して、１４時において日射透過率が０％となっている。
【００７０】
このように、建具１では、日差しの強い夏季において、冬季及び春季（秋季）と比較して低い日射透過率とすることができる。また、建具１では、夏季において１２時の日射透過率を、前後の時間帯の日射透過率より低く抑えることができる。また、１４時以降の日射透過率を０％程度に抑えることができ、建具１では西日を好適に遮ることができる。
【００７１】
このような建具１によれば、第１の多孔板２及び第２の多孔板３が接合されて固定され、開口４，５の大きさも不変であるので、ブラインドのように羽根の傾斜角を変更するための操作が不要であり、使用者の負担を減らすことができる。また、メンテナンスの必要もなく、羽根が動く際に生じる音の発生もない。
【００７２】
次に図１２を参照して、太陽光の傾斜角と、第１の多孔板２及び第２の多孔板３の配置との関係について説明する。図１２では、遮蔽部６，１１の上下方向Ｙにおける長さをａとし、開口４，５の上下方向Ｙにおける長さをｂとし、正面視において開口４を遮る遮蔽部１１の上下方向Ｙにおける長さをｋとしている。また、遮蔽部６，１１同士の間隔をｄとし、遮蔽部６，１１の板厚をｔとしている。
【００７３】
傾斜角θＡは、１段目の遮蔽部６の下端の正面側の角と、２段目の遮蔽部１１の上端の背面側の角とを結ぶ直線と平行な直線ＬＡと、水平方向に平行な基準線Ｌ０とが交差する角度である。この場合において、下記式（１）が成立し、間隔ｄは下記式（２）によって算出される。なお、上から順に１段目、２段目、３段目とする。
【数１】
2015137519.tif 000003
【数２】
2015137519.tif 000004
【００７４】
傾斜角θＢは、１段目の遮蔽部６の下端の正面側の角と、１段目（遮蔽部６と同じ段）の遮蔽部１１の下端の正面側の角とを結ぶ直線と平行な直線ＬＢと、基準線Ｌ０とが交差する角度である。この場合において、下記式（３）が成立し、間隔ｄは下記式（４）によって算出される。
【数３】
2015137519.tif 000005
【数４】
2015137519.tif 000006
【００７５】
傾斜角θＣは、１段目の遮蔽部６の下端の正面側の角と、３段目の遮蔽部１１の上端の背面側の角とを結ぶ直線と平行な直線ＬＣと、基準線Ｌ０とが交差する角度である。この場合において、下記式（５）が成立し、間隔ｄは下記式（６）によって算出される。
【数５】
2015137519.tif 000007
【数６】
2015137519.tif 000008
【００７６】
傾斜角θＤは、１段目の遮蔽部６の下端の正面側の角と、４段目の遮蔽部１１の上端の背面側の角とを結ぶ直線と平行な直線ＬＤと、基準線Ｌ０とが交差する角度である。この場合において、下記式（７）が成立し、間隔ｄは下記式（８）によって算出される。
【数７】
2015137519.tif 000009
【数８】
2015137519.tif 000010
【００７７】
次に建具１の開口率及び遮蔽率について説明する。開口率とは、多孔板の面積における複数の開口の合計の面積の割合である。
【００７８】
建具１において太陽光を遮蔽したい時期（例えば夏季）における遮蔽率Ｅ１は、下記式（９）で表現することができる。
【数９】
2015137519.tif 000011
【００７９】
また、建具１において太陽光を透過させたい時期（例えば春季、秋季または冬季）における遮蔽率Ｅ２は、下記式（１０）で表現することができる。
【数１０】
2015137519.tif 000012
上記式（９），（１０）を満足する遮蔽部６，１１の上下方向Ｙの長さａ及び開口４，５の上下方向Ｙの長さｂを設定することで、夏季の太陽光を遮蔽して、春季の太陽光を透過させるように、遮蔽部６，１１及び開口４，５を設定することができる。
【００８０】
次に建具１を設計する際の手順について説明する。まず、建具１の設置場所や設置スペース及び使用する板材の強度に基づいて、第１の多孔板２及び第２の多孔板３のおおよその板厚を設定する。建具１では、例えば使用する板材をアルミ材をとして、板厚を１ｍｍと設定する。
【００８１】
次に、第１の多孔板２及び第２の多孔板３の強度を担保可能なパンチング（打ち抜き加工が可能な）の開口率の範囲及び開口率のおおよその目標値を設定する。このときの開口率の範囲及び開口率の目標値は、板材の厚みと縦リブの有無によって決定される。開口率が設定されると、遮蔽部６，１１の上下方向Ｙの長さａ及び開口４，５の上下方向Ｙの長さｂを決定することができる。
【００８２】
次に建具１としての意匠性を考慮して、第１の多孔板２と第２の多孔板３との間の距離ｄを決定する。このとき、上述の式（２），（４），（６），（８）を用いてａ，ｂを変更して、距離ｄ及び長さｋを決定する。例えば、下記式（１１）を満たすようにｋを決定してもよい。
【数１１】
2015137519.tif 000013
上記式（１１）を満たす遮蔽部１１は、開口４の上下方向Ｙの中央に配置される。
【００８３】
（第２実施形態）
次に第２実施形態の建具２１について図１３〜図１５を参照して説明する。図１３は建具２１の断面図であり、図１４は建具２１の正面図であり、図１５は建具２１の背面図である。第２実施形態の建具２１が第１実施形態の建具１と違う点は、上下方向において連続する板材によって、第１の多孔板２２及び第２の多孔板２３が形成されている点である。なお、第１実施形態と同じ説明は省略する。
【００８４】
また、第１実施形態の建具１は、同じ形状の第１の多孔板２と第２の多孔板３とを接合することで形成されているが、第２実施形態の建具２１は、第１の多孔板２２に対して、第２の多孔板２３を嵌め合せることで形成されている。
【００８５】
建具２１の第２の多孔板２３には縦リブが形成されておらず、第１の多孔板２２には縦リブ２４が設けられている。第２の多孔板２３には、第１の多孔板２２の幅方向Ｘの両側の縦リブ２４に係合可能な係止爪２３ａが形成されている。第１の多孔板２２に対して第２の多孔板２３を対面させて、第２の多孔板２３を押し込むだけで、係止爪２３ａを縦リブ２４に係合させることができる。これにより、第２の多孔板２３を第１の多孔板２２に装着することができる。第２の多孔板２３が第１の多孔板２２に装着された状態において、第１の多孔板２２の縦リブ２４の背面側の端部は、第２の多孔板２３の正面に当接している。このように、第１の多孔板２２のみに縦リブを備える構成としてもよい。
【００８６】
本発明は、前述した実施形態に限定されず、本発明の要旨を逸脱しない範囲で下記のような種々の変形が可能である。
【００８７】
また、建具１は、開口４，５の上側の周縁部から、水平方向（板厚方向Ｚ）に張り出す張出片が形成されている構成でもよい。このような構成とすることで、張出片によって太陽光を遮ることができるので、鉛直方向に近い傾斜角度で入射する太陽光を張出片によって遮ることができ夏季の日射性能を向上させることができる。また、張出片によって太陽光を遮ることができるので、第１の多孔板及び第２の多孔板の間隔を狭くして、建具を薄くすることができる。
【００８８】
上記の実施形態では、矩形状の開口４，５が形成された第１の多孔板２及び第２の多孔板３としているが、開口４，５の形状は矩形状に限定されず、例えば円形、三角形、多角形などその他の形状でもよい。
【００８９】
また、縦リブ７，１２は、開口４，５の幅方向Ｘの両側に設けられていてもよく、片側（一側）のみに設けられていてもよい。
【符号の説明】
【００９０】
１，２１…建具、２，２２…第１の多孔板、３，２３…第２の多孔板、４…開口（第１の多孔板の開口）、５…開口（第２の多孔板の開口）、６…遮蔽部（第１の多孔板の遮蔽部）、７，２４…縦リブ、１１…遮蔽部（第２の多孔板の遮蔽部）、１２…縦リブ。
【図１】
2015137519.tif 000014
【図２】
2015137519.tif 000015
【図３】
2015137519.tif 000016
【図４】
2015137519.tif 000017
【図５】
2015137519.tif 000018
【図６】
2015137519.tif 000019
【図７】
2015137519.tif 000020
【図８】
2015137519.tif 000021
【図９】
2015137519.tif 000022
【図１０】
2015137519.tif 000023
【図１１】
2015137519.tif 000024
【図１２】
2015137519.tif 000025
【図１３】
2015137519.tif 000026
【図１４】
2015137519.tif 000027
【図１５】
2015137519.tif 000028